(57)【特許請求の範囲】
【請求項１】
一端部が径小、他端部が径大なラッパ状のセパレータの少なくとも内側に、上記一端部から他端部まで延在して上記両端部付近で巻き回されたサドル形偏向コイルが配設されてなる陰極線管用偏向ヨークにおいて、
上記セパレータは一端部内側が円形、他端部内側が非円形状で上記円形から次第に上記非円形に変化する形状をなし、これら両端部の内側に上記偏向コイルの巻線の位置を規制する突起が設けられ、かつ非円形状をなす部分の横断面の内側の曲率が最大となる位置近傍に、この付近を斜めに横切る少なくとも１本の上記偏向コイルの巻線の浮き上がりを防止するフックが設けられていることを特徴とする陰極線管用偏向ヨーク。
【請求項２】
フックがセパレータの中心軸方向に複数個設けられていることを特徴とする請求項１記載の陰極線管用偏向ヨーク。
【請求項３】
ほぼ矩形状のパネルおよび一端部が円形状の径小のネック、他端部が上記パネル外形に対応するほぼ矩形状の径大なコーン部からなる漏斗状のファンネルからなる外囲器を有する陰極線管と、一端部が径小、他端部が径大なラッパ状のセパレータの少なくとも内側に、上記一端部から他端部まで延在して上記両端部付近で巻き回されたサドル形偏向コイルが配設され、上記ファンネルのネックとコーン部との境界部付近に装着される偏向ヨークとを備える陰極線管装置において、
上記陰極線管のファンネルのネックとコーン部との境界部付近は外形が上記ネック側から上記コーン部側にかけて円形から次第にほぼ矩形状に変化する形状に形成され、上記偏向ヨークのセパレータは上記ファンネルのネックとコーン部との境界部付近の外形に近似して上記一端部側から他端部側にかけて内側が円形から次第にほぼ矩形状に変化する形状に形成され、これら両端部の内側に上記偏向コイルの巻線の位置を規制する突起が設けられ、かつほぼ矩形状をなす部分の横断面の内側の曲率が最大となる位置近傍に、この付近を斜めに横切る少なくとも１本の上記偏向コイルの巻線の浮き上がりを防止するフックが設けられていることを特徴とする陰極線管装置。
【発明の詳細な説明】
【０００１】
【発明の属する技術分野】
この発明は、陰極線管用偏向ヨークおよび偏向ヨークが装着された陰極線管装置に係り、特に偏向電力を低減できる陰極線管用偏向ヨークおよび陰極線管装置に関する。
【０００２】
【従来の技術】
一般に陰極線管は、ほぼ矩形状のパネルと一端部が円筒状の径小のネックからなり他端部が上記パネル外形に対応するほぼ矩形状の径大なコーン部からなる漏斗状のファンネルとからなる外囲器を有し、そのパネルの内面に蛍光体スクリーンが設けられ、ファンネルのネック内に電子銃が配設された構造に形成されている。このような陰極線管は、上記ファンネルのネックとコーン部との境界部付近の外側に偏向ヨークが装着され、この偏向ヨークの発生する磁界により、上記電子銃から放出される電子ビームを偏向して、蛍光体スクリーンを水平、垂直走査することにより画像が表示される。
【０００３】
特にカラーブラウン管については、電子銃を３電子ビームを放出する電子銃とし、この電子銃から放出された３電子ビームを偏向ヨークの発生する磁界により偏向したのち、シャドウマスクにより選別して、３色蛍光体層からなる蛍光体スクリーンに入射させるものとなっている。
【０００４】
このような陰極線管装置では、偏向ヨークの消費する電力が大きく、従来よりその偏向電力の低減が図られている。
【０００５】
この偏向電力低減手段として、特公昭４８−３４３４９号公報には、通常円形であるファンネルのネックとコーン部との境界部付近の横断面形状を、図５（ａ）に示す外囲器１について、そのＢ−Ｂ〜Ｆ−Ｆ断面の形状をそれぞれ同（ｂ）〜（ｆ）に示したように、ネック２側からコーン部３側にかけて円形から次第にパネル４の外形に近似したほぼ矩形状に変化する形状に形成され、それにより偏向ヨークの偏向コイルを水平軸および垂直軸近傍で電子ビームの軌道に近づけ、結果として偏向電力を低減させるものが示されている。
【０００６】
また、特開昭４８−８５０３０号公報には、図６、および図７（ａ）に示す偏向ヨーク６の内面形状について、そのＢ−Ｂ〜Ｄ−Ｄ断面の形状をそれぞれ同（ｂ）〜（ｄ）に示したように、上記ファンネルのネックとコーン部との境界部付近の形状に対応して、ネック側からコーン部側にかけて円形から次第にほぼ矩形状に変化する形状に形成され、それにより、内面の横断面形状が円形である通常の偏向ヨークに比べて、偏向電力を低減できる偏向ヨークが示されている。
【０００７】
なお、図６には、ネック側からコーン部側にかけて円形から次第にほぼ矩形状に変化する形状のセパレータ７と、その内側に配設された上下一対のサドル型水平偏向コイル８とが示されている。
【０００８】
一方、近年、陰極線管装置については、ＴＶ放送の受像ばかりでなく、コンピュータなどＯＡ機器の端末表示装置に幅広く利用されており、特にそのＯＡ機器の端末表示装置に用いられる陰極線管については、高精細画像の表示が求められている。
【０００９】
この表示画像の高精細化については、通常、陰極線管装置は、電子ビームを水平方向に高周波のライン周波数で偏向することにより水平走査線を形成し、これを低周波の画面周波数で垂直方向に偏向することにより画像を表示している。その画面周波数は、画面のちらつきから、概ね６０Hz〜８０Hz程度に設定されるため、高精細表示に対しては、ライン周波数の増大が要求される。
【００１０】
このライン周波数の増大、すなわちライン周波数の高周波化には、水平偏向コイルのインダクタンスを小さくすることが必要である。そのため、最近のコンピュータなどのＯＡ機器の端末表示装置に用いられる陰極線管装置の偏向ヨークは、水平偏向コイルのインダクタンスが約１００μH程度まで小さくなっている。これは、コイルの巻数にして、約３０巻程度の減少に相当する。したがって低インダクタンスの偏向ヨークにおいては、巻線１本に流れる偏向電流が大きくなり、必然的に巻線の太さが増大し、巻線のわずかな位置ずれによる画像特性のばらつきが問題となる。
【００１１】
このような低インダクタンスの偏向ヨークの巻線の位置ずれを防止する手段として、特開平４−１８４８４５号公報には、図８に示すように、セパレータ７の内側に複数個の溝１０が設けられ、これらの溝１０によりセパレータ７の内側に配設される水平偏向コイルの巻線１１の位置を規制するものが示されている。この偏向ヨークによれば、溝１０により各巻線の位置を規制できるため、従来の型成形タイプの偏向ヨークに比べて、巻線の位置ずれを抑制できる。
【００１２】
【発明が解決しようとする課題】
上記のように、高精細画像の表示が求められるＯＡ機器の端末表示装置に用いられる陰極線管装置は、その表示画像の高精細化のために、水平走査線を構成するライン周波数の増大が要求され、偏向ヨークの水平偏向コイルのインダクタンスを小さくする必要がある。そのためには巻線を太くする必要があり、結果として巻線のわずかな位置ずれによる画像特性のばらつきが問題となる。この巻線の位置ずれを防止する手段として、セパレータの内側に複数個の溝を設けて、セパレータの内側に配設される水平偏向コイルの巻線の位置を規制するものが知られている。
【００１３】
この偏向ヨークによれば、溝により巻線の位置を規制できるため、従来の型成形タイプの偏向ヨークに比べて巻線の位置ずれを抑制できる。しかしこの溝による巻線の位置ずれ防止機能を、陰極線管のファンネルのネック側からコーン部側にかけて円形から次第にほぼ矩形状に変化する形状に内側が形成される偏向ヨークに適用すると、図９に示すように、ほぼ矩形状をなす部分の対角付近の曲率が大きいため、突起１０間に巻回されその対角軸（D軸）近傍を斜めに横切る破線で示した巻線１１が実線で示すように浮き上がり、その巻線の位置ずれのために画像特性が劣化するという問題がある。
この発明は、上記問題点を解決するために為されたものであり、陰極線管のファンネルのネック側からコーン部側にかけて、内側が円形から次第に非円形に変化する形状に形成される偏向ヨークにおいて、その非円形をなす部分の内側の曲率が大きくなる部分での偏向コイルの巻線の浮き上がりを防止することを第1の目的とする。
【００１４】
また、上記偏向ヨークの装着された陰極線管装置を得ることを第２の目的とする。
【００１５】
【課題を解決するための手段】
上記課題を解決するため、一端部が径小、他端部が径大なラッパ状のセパレータの少なくとも内側に、一端部から他端部まで延在して上記両端部付近で巻き回されたサドル形偏向コイルが配設されてなる陰極線管用偏向ヨークにおいて、そのセパレータを、一端部内側が円形、他端部内側が非円形状で上記円形から次第に上記非円形に変化する形状をなし、これら両端部の内側に偏向コイルの巻線の位置を規制する突起を設け、かつ非円形状をなす部分の横断面の内側の曲率が最大となる位置近傍に、この付近を斜めに横切る少なくとも１本の偏向コイルの巻線の浮き上がりを防止するフックを設けた。
【００１６】
また、そのフックを、セパレータの中心軸方向に複数個設けた。
【００１７】
更には、ほぼ矩形状のパネルおよび一端部が円形状の径小のネック、他端部がパネル外形に対応するほぼ矩形状の径大なコーン部からなる漏斗状のファンネルからなる外囲器を有する陰極線管と、一端部が径小、他端部が径大なラッパ状のセパレータの少なくとも内側に、一端部から他端部まで延在して巻回された偏向コイルが配設され、ファンネルのネックとコーン部との境界部付近に装着される偏向ヨークとを備える陰極線管装置において、ファンネルのネックとコーン部との境界部付近の外形を、ネック側からコーン部側にかけて円形から次第にほぼ矩形状に変化する形状に形成し、偏向ヨークのセパレータを、そのファンネルのネックとコーン部との境界部付近の外形に近似して一端部側から他端部側にかけて内側が円形から次第にほぼ矩形状に変化する形状に形成し、その両端部の内側に偏向コイルの巻線の位置を規制する突起を設け、かつほぼ矩形状をなす部分の横断面の内側の曲率が最大となる位置近傍に、この付近を斜めに横切る少なくとも１本の偏向コイルの巻線の浮き上がりを防止するフックを設けた。
【００１８】
【発明の実施の形態】
以下、図面を参照してこの発明の実施の形態について説明する。
【００１９】
図１にその一形態であるカラーブラウン管装置を、また図２にその偏向ヨークを示す。
【００２０】
上記図１に示すカラーブラウン管装置は、有効部２０の周辺部にスカート部２１が設けられたほぼ矩形状のパネル２２と、一端部が円筒状の径小のネック２３、他端部が上記パネル２２のスカート部２１外形に対応するほぼ矩形状の径大なコーン部２４からなる漏斗状のファンネル２５とからなる外囲器２６を有する。特にこのカラーブラウン管装置においては、上記ファンネル２５のネック２３とコーン部２４との境界部付近の外形が、通常円形であるカラーブラウン管に対し、円形のネック２３から次第にパネル２２のスカート部２１外形に近似するほぼ矩形状（非円形状）に変化する形状に形成されている。そして、そのパネル２２の内面に、青、緑、赤に発光する３色蛍光体層からなる蛍光体スクリーン２７が設けられ、この蛍光体スクリーン２７と対向して、その内側にほぼ矩形状のシャドウマスク２８が配置されている。一方、ファンネル２５のネック２３内に電子銃２９が配設されている。さらに、上記ファンネル２５のネック２３とコーン部２４との境界部付近の外側に、下記偏向ヨーク３０が装着されている。
【００２１】
上記偏向ヨーク３０は、図２に示したように、上記ファンネルのネック側となる一端部が径小、コーン部側となる他端部が径大なラッパ状の合成樹脂からなる後述するセパレータ３２と、このセパレータ３２の内側に上下対称に配設された一対のサドル形水平偏向コイル３３と、セパレータ３２の外側を取り囲む筒状のコア３４と、このコア３４に巻き付けられて、セパレータ３２の外側に上下対称に配設されたトロイダル形垂直偏向コイル３５とからなる。
【００２２】
上記セパレータ32は、この偏向ヨーク３０が装着されるファンネルのネックとコーン部との境界部付近の外形に対応して、ネック側となる一端部内側が円形を為し、この内側形状が径大な他端部に向かって次第にほぼ矩形状（非円形状）に変化する形状に形成されている。そしてこの実施の形態においては、図３に示すように、上記セパレータ３２の一端部および他端部の内側に、このセパレータ３２の内側に配設される水平偏向コイルの巻線を配置する複数個の突起３７が放射方向に設けられている。さらにこの偏向ヨーク３０のセパレータ３２には、突起３７の設けられていないほぼ矩形状をなす中間部に、横断面の曲率が最大となる部分、すなわちほぼ矩形状をなす部分の対角軸（D軸）近傍に、この対角軸付近を斜めに横切る水平偏向コイルの巻線３８を係止するフック３９が突設されている。
【００２３】
このように、偏向ヨーク３０のセパレータ３２の両端部の内側に、セパレータ３２の内側に配設される水平偏向コイル３３の巻線を配置する複数個の突起３７を設け、かつほぼ矩形状をなす中間部内側の横断面の曲率が最大となる対角軸近傍に、この対角軸付近を斜めに横切る水平偏向コイルの巻線３８を係止するフック３９を設けると、その突起３７により、水平偏向コイル３３の巻線の配列を正しく位置決めでき、かつフック３９により、セパレータ３２内側の横断面の曲率が最大となる対角軸付近を斜めに横切る巻線３８の浮き上がりを防止することができる。つまり、セパレータ３２の両端部の内側に設けられた複数個の突起３７と横断面の曲率が最大となる対角軸近傍に設けられたフック３９とにより、セパレータ３２の内側に配設される水平偏向コイル３３の巻線３８の位置を規制して、正しく配設することができる。
【００２４】
したがって、このような偏向ヨーク３０をファンネル２５のネック２３とコーン部２４との境界部付近の外形が円形のネック２３から次第にパネル２２のスカート部２１外形に近似するほぼ矩形状（非円形状）に変化する形状に形成されているカラーブラウン管に装着してカラーブラウン管装置を構成すると、偏向コイルを電子ビームの軌道に近づけて偏向電力を低減することができ、かつ偏向コイルの正しい配置により、発生する偏向磁界分布の乱れによる画像特性の劣化を防止することができる。
【００２５】
なお、上記実施の形態では、セパレータ内側の溝３７の設けられていない中間部の横断面の曲率が最大となる対角軸近傍に、それぞれフックを１個づつ突設したが、図４に示すように、このフック３９は、セパレータ３２の中心軸方向に複数個（図示例では３個）並べて設けてもよい。このように複数個のフック３９を設けると、コイルの巻線位置の規制の自由度が増し、上記実施の形態よりも、より正しく巻線の位置を規制することができる。
【００２６】
なお、上記実施の形態では、水平偏向コイルがサドル形、垂直偏向コイルがトロイダル形からなる偏向ヨークについて説明したが、この発明は、水平、垂直偏向コイルがともにサドル形である偏向ヨークに適用しても、同様の効果が得られる。
【００２７】
また、上記実施の形態では、カラーブラウン管に装着される偏向ヨークおよびその偏向ヨークの装着されたカラーブラウン管装置について説明したが、この発明は、モノクロ管などの他の陰極線管に装着される偏向ヨークおよびその偏向ヨークの装着された陰極線管装置にも適用可能である。
【００２８】
【発明の効果】
一端部が径小、他端部が径大なラッパ状のセパレータの少なくとも内側に、一端部から他端部まで延在して巻回された偏向コイルが配設されてなる陰極線管用偏向ヨークにおいて、そのセパレータを、一端部内側が円形、他端部内側が非円形状をなす形状とし、これら両端部の内側に偏向コイルの巻線の位置を規制する突起を設け、かつ非円形状をなす部分の横断面の内側の曲率が最大となる位置近傍に巻線の位置を規制するフックを設け、さらには、そのフックを、セパレータの中心軸方向に複数個設けると、その突起により、セパレータの内側に配設される偏向コイルの巻線の配列を正しく位置決めでき、かつフックにより、セパレータ内側の横断面の曲率が最大となる対角軸付近を斜めに横切る少なくとも１本の偏向コイルの巻線の浮き上がりを防止することができ、セパレータの内側に配設される偏向コイルの巻線の位置を規制して正しく配設することができる。
【００２９】
また、ほぼ矩形状のパネルおよび一端部が円形状の径小のネック、他端部がパネル外形に対応するほぼ矩形状の径大なコーン部からなる漏斗状のファンネルからなる外囲器を有する陰極線管と、一端部が径小、他端部が径大なラッパ状のセパレータの少なくとも内側に、一端部から他端部まで延在して巻回され両端部付近で巻き回されたサドル形偏向コイルが配設され、ファンネルのネックとコーン部との境界部付近に装着される偏向ヨークとを備える陰極線管装置において、上記陰極線管のファンネルのネックとコーン部との境界部付近の外形を、ネック側からコーン部側にかけて円形から次第にほぼ矩形状に変化する形状に形成して上記偏向ヨークを装着することにより、偏向コイルを電子ビームの軌道に近づけて、偏向電力を低減することができ、かつ偏向コイルの正しい配置により、発生する偏向磁界分布の乱れによる画像特性の劣化を防止することができる。
【図面の簡単な説明】
【図１】この発明の実施の一形態であるカラーブラウン管装置の構成を示す図である。
【図２】上記カラーブラウン管装置に装着される偏向ヨークの構成を示す図である。
【図３】上記偏向ヨークのセパレータの構成を示す正面図である。
【図４】図４（ａ）は上記セパレータとは異なる構造のセパレータの正面図、図４（ｂ）はその断面図である。
【図５】図５（ａ）乃至（ｆ）はそれぞれ既知の陰極線管の偏向ヨークの装着部分の形状を説明するための図である。
【図６】既知の陰極線管の偏向ヨークの形状を示す図である。
【図７】図７（ａ）乃至（ｄ）はそれぞれ図６に示した偏向ヨークの形状を説明するための図である。
【図８】図８（ａ）は図６に示した偏向ヨークとは異なる既知の陰極線管の偏向ヨークのセパレータの構造を示す正面図、図８（ｂ）はその断面図である。
【図９】図６に示した偏向ヨークの問題点を説明するための図である。
【符号の説明】
２２…パネル
２３…ネック
２４…コーン部
２５…ファンネル
２９…電子銃
３０…偏向ヨーク
３２…セパレータ
３３…水平偏向コイル
３４…コア
３５…垂直偏向コイル
３７…突起
３８…水平偏向コイルの巻線
３９…フック
【図１】
0003737191.tif 000002
【図２】
0003737191.tif 000003
【図３】
0003737191.tif 000004
【図４】
0003737191.tif 000005
【図５】
0003737191.tif 000006
【図６】
0003737191.tif 000007
【図７】
0003737191.tif 000008
【図８】
0003737191.tif 000009
【図９】
0003737191.tif 000010